(57)【要約】【課題】貯湯式給湯機を長期間使用しない場合、またはメンテナンスの際に、エンドユーザーが貯湯式給湯機の内部の水を排出する作業を確実に実施できるようにする上で有利な貯湯式給湯機を提供する。【解決手段】貯湯式給湯機１００は、第一操作部４０ａを有する第一排水栓と、第二操作部６０ａを有する第二排水栓とを備える。蹴込部７５には、上下方向に沿って延びる複数の外部配管９０が接続される接続部が設置されている。第一操作部４０ａは、蹴込壁面７５ａと、蹴込壁面７５ａに隣接する筐体底面１ａと、蹴込壁面７５ａに隣接する筐体側面１ｂとのいずれかに配置されている。第二操作部６０ａは、蹴込壁面７５ａと、筐体底面１ａと、筐体側面１ｂとのいずれかに配置されている。蹴込壁面７５ａに向き合うようにして見たときに、水平方向の位置に関して、第一操作部４０ａの位置と第二操作部６０ａの位置とが重なりを有する。【選択図】図５
2019132474.tif 000002
【特許請求の範囲】
【請求項１】
蹴込部を有する筐体と、
前記筐体の内部に配置された貯湯タンク及び配管と、
第一操作部を有し、前記貯湯タンクまたは前記配管の湯水を排水可能とする第一排水栓と、
第二操作部を有し、前記貯湯タンクまたは前記配管の湯水を排水可能とする第二排水栓とを備え、
前記蹴込部には、上下方向に沿って延びる複数の外部配管が接続される接続部が設置されており、
前記第一操作部は、前記蹴込部を形成する壁面である蹴込壁面と、前記蹴込壁面に隣接する筐体底面と、前記蹴込壁面に隣接する筐体側面とのいずれかに配置されており、
前記第二操作部は、前記蹴込壁面と、前記筐体底面と、前記筐体側面とのいずれかに配置されており、
前記蹴込壁面に向き合うようにして見たときに、水平方向の位置に関して、前記第一操作部の位置と前記第二操作部の位置とが重なりを有する貯湯式給湯機。
【請求項２】
前記蹴込壁面に向き合うようにして見たときに、前記外部配管同士の間に形成される隙間に前記第一操作部及び前記第二操作部の少なくとも一部が位置する請求項１に記載の貯湯式給湯機。
【請求項３】
前記蹴込壁面に向き合うようにして見たときに、前記外部配管同士の間に形成される複数の隙間のうちで最も広い隙間に前記第一操作部及び前記第二操作部の少なくとも一部が位置する請求項１に記載の貯湯式給湯機。
【請求項４】
前記複数の外部配管は、前記蹴込壁面に向き合うようにして見たときに、最も左側にある第一外部配管と、最も右側にある第二外部配管とを含み、
前記蹴込壁面に向き合うようにして見たときに、前記第一操作部及び前記第二操作部の少なくとも一部が前記第一外部配管または前記第二外部配管よりも外側にある請求項１に記載の貯湯式給湯機。
【請求項５】
前記第一操作部及び前記第二操作部は、同じ面に配置されている請求項１から請求項４のいずれか一項に記載の貯湯式給湯機。
【請求項６】
前記第一操作部及び前記第二操作部の一方が前記蹴込壁面に配置され、前記第一操作部及び前記第二操作部の他方が前記筐体底面に配置されている請求項１から請求項４のいずれか一項に記載の貯湯式給湯機。
【請求項７】
前記蹴込壁面に向き合うようにして見たときに、前記第一操作部及び前記第二操作部は、上下に並ぶ請求項１から請求項６のいずれか一項に記載の貯湯式給湯機。
【請求項８】
前記第一操作部及び前記第二操作部を連動させる連動手段を備える請求項１から請求項７のいずれか一項に記載の貯湯式給湯機。
【請求項９】
前記第二排水栓は、前記第二操作部の位置に排水口を有し、
前記第一排水栓は、前記第一操作部とは異なる位置に排水口を有し、
前記第二操作部は、前記第一操作部よりも低い位置にある請求項１から請求項８のいずれか一項に記載の貯湯式給湯機。
【請求項１０】
前記第二排水栓は、前記第二操作部の位置に排水口を有し、
前記第一排水栓は、前記第一操作部とは異なる位置に排水口を有し、
前記第一操作部は、前記第二操作部よりも低い位置にある請求項１から請求項８のいずれか一項に記載の貯湯式給湯機。
【発明の詳細な説明】
【技術分野】
【０００１】
本発明は、貯湯式給湯機に関する。
【背景技術】
【０００２】
ヒートポンプなどの加熱手段により水を加熱して得られた高温の湯を貯湯タンクに貯留し、この貯湯タンクから必要時に浴槽、シャワー、台所、洗面所の蛇口などの必要箇所に湯を供給するように構成された貯湯式給湯機が広く用いられている。そのような貯湯式給湯機の製品ラインアップの中に、設置スペースに制約がある場合に対応して設定された、薄型機種がある。通常の機種では、筐体内に貯湯タンクが１つ配置されている。これに対し、薄型機種では、貯湯容量を２分割した２つの貯湯タンクを縦列して配置し、正面側の横幅寸法を最小限に抑えており、その分奥行き寸法を大きく取ることで、一方向の据付スペースを小さく抑えている。そのため、この薄型機種を据え付けた後は、外部配管の接続工事を行う正面側に、各種の外部配管が垂直方向に林立し、密集した状態となっている。
【０００３】
特許文献１は、２つの貯湯タンクを有する場合において、給水配管側のタンク側に負圧弁を設置せずに、２つのタンク内の水を完全に排水する際の排水機構について記載されており、２つのタンク間に設けた連結配管の接続部位、及び、排水配管の接続部位の高低位置関係について開示している。また、特許文献２には、排水栓の操作レバーと排水口を蹴込部に設けた構成が記載されている。
【先行技術文献】
【特許文献】
【０００４】
【特許文献１】特開２００２−１３９２５１号公報
【特許文献２】特開２０１０−１５６４９５号公報
【発明の概要】
【発明が解決しようとする課題】
【０００５】
貯湯式給湯機を長期間使用しない場合、またはメンテナンスの際には、貯湯式給湯機の内部の水をすべて外部に排出する必要がある。仮に、貯湯式給湯機を長期間使用しない場合に、貯湯タンクあるいは内部配管の中に水が残っていると、凍結による機器の破損、水質変化による腐食等の悪影響を及ぼす可能性がある。このため、エンドユーザーは、機器内の排水を確実に遂行する必要がある。その際、エンドユーザーは、蹴込部に設けられた、排水栓と、配管の水抜き栓とをそれぞれ操作する必要がある。
【０００６】
排水栓及び水抜き栓の操作部が蹴込部の外部配管に隠れてしまい、それらの操作部の位置の視認がエンドユーザーにとって困難となり、かつ操作がしずらいため、排水操作が確実に実施されない可能性が生じてしまう。特に、正面側の横幅寸法を最小限に抑えている薄型機種においては、蹴込部の大部分のスペースが外部配管によって遮られてしまうため、上記の問題が発生しやすい。
【０００７】
本発明は、上述のような課題を解決するためになされたもので、貯湯式給湯機を長期間使用しない場合、またはメンテナンスの際に、エンドユーザーが貯湯式給湯機の内部の水を排出する作業を確実に実施できるようにする上で有利な貯湯式給湯機を提供することを目的とする。
【課題を解決するための手段】
【０００８】
本発明に係る貯湯式給湯機は、蹴込部を有する筐体と、筐体の内部に配置された貯湯タンク及び配管と、第一操作部を有し、貯湯タンクまたは配管の湯水を排水可能とする第一排水栓と、第二操作部を有し、貯湯タンクまたは配管の湯水を排水可能とする第二排水栓とを備え、蹴込部には、上下方向に沿って延びる複数の外部配管が接続される接続部が設置されており、第一操作部は、蹴込部を形成する壁面である蹴込壁面と、蹴込壁面に隣接する筐体底面と、蹴込壁面に隣接する筐体側面とのいずれかに配置されており、第二操作部は、蹴込壁面と、筐体底面と、筐体側面とのいずれかに配置されており、蹴込壁面に向き合うようにして見たときに、水平方向の位置に関して、第一操作部の位置と第二操作部の位置とが重なりを有するものである。
【発明の効果】
【０００９】
本発明によれば、貯湯式給湯機を長期間使用しない場合、またはメンテナンスの際に、エンドユーザーが貯湯式給湯機の内部の水を排出する作業を確実に実施できるようにする上で有利な貯湯式給湯機を提供することが可能となる。
【図面の簡単な説明】
【００１０】
【図１】実施の形態１による貯湯式給湯機を示す図である。
【図２】参考例の貯湯式給湯機の配管システム図である。
【図３】実施の形態１による貯湯式給湯機の配管システム図である。
【図４】実施の形態１による貯湯式給湯機の蹴込部及びその近くを斜め下から見た斜視図である。
【図５】実施の形態１による貯湯式給湯機の蹴込部及びその近くを正面から見た正面図である。
【図６】実施の形態２による貯湯式給湯機の蹴込部及びその近くを正面から見た正面図である。
【図７】実施の形態３による貯湯式給湯機の蹴込部及びその近くを斜め下から見た斜視図である。
【図８】実施の形態４による貯湯式給湯機の蹴込部及びその近くを正面から見た正面図である。
【図９】実施の形態５による貯湯式給湯機の蹴込部及びその近くを正面から見た正面図である。
【図１０】実施の形態６による貯湯式給湯機の蹴込部及びその近くを正面から見た正面図である。
【図１１】実施の形態７による貯湯式給湯機の蹴込部及びその近くを正面から見た正面図である。
【発明を実施するための形態】
【００１１】
以下、図面を参照して実施の形態について説明する。各図において共通または対応する要素には、同一の符号を付して、重複する説明を簡略化または省略する。本開示は、以下の各実施の形態で説明する構成のうち、組み合わせ可能な構成のあらゆる組み合わせを含み得る。
【００１２】
実施の形態１．
図１は、実施の形態１による貯湯式給湯機１００を示す図である。図１に示すように、貯湯式給湯機１００は、筐体１を備える。筐体１は、蹴込部７５を有する。筐体１の内部には、貯湯タンクとしての給水側タンク１０及び給湯側タンク２０と、これらのタンクに接続された配管とが配置されている。本実施の形態の貯湯式給湯機１００は、筐体１の内部に、貯湯容量を２分割した２つの貯湯タンク（給水側タンク１０及び給湯側タンク２０）を縦列して配置し、正面側の横幅寸法を抑えた、薄型機種に相当する。
【００１３】
給水配管２、入水配管３、出湯配管５、給湯配管６、風呂戻り配管７、及び風呂往き配管８は、筐体１から外部へ延びる外部配管に相当する。蹴込部７５には、これらの外部配管が接続される接続部が設置されている。加熱手段４は、水を加熱して高温の湯を生成可能である。加熱手段４は、例えば、ヒートポンプユニットでもよい。
【００１４】
給水配管２は、上水道のような水源からの水を貯湯式給湯機１００に供給する。給水配管２を通った水は、筐体１の内部配管を通って給水側タンク１０の下部に流入する。入水配管３は、蹴込部７５に設けられた接続部と、加熱手段４の入水口との間を繋ぐ。入水配管３は、筐体１の内部配管を介して、給水側タンク１０の下部に連通する。出湯配管５は、蹴込部７５に設けられた接続部と、加熱手段４の出湯口との間を繋ぐ。出湯配管５は、筐体１の内部配管を介して、給湯側タンク２０の上部に連通する。
【００１５】
沸上運転のときには、以下のようになる。給水側タンク１０の下部から流出した水が、入水配管３を通って加熱手段４へ搬送される。加熱手段４に搬送された水は、加熱手段４により加熱され、高温湯となる。この高温湯は、出湯配管５を通り、給湯側タンク２０の上部に流入する。
【００１６】
給湯配管６の上流端は、蹴込部７５に設けられた接続部に接続されている。給湯配管６の下流側には、例えば、シャワー、台所または洗面所の蛇口などの給湯端末（図示省略）が設けられている。貯湯式給湯機１００からの湯が給湯配管６を通って当該給湯端末へ供給される。なお、筐体１の内部には、給湯側タンク２０から取り出された高温湯に水を混合することにより給湯温度を調整するための混合弁が備えられている。
【００１７】
風呂戻り配管７及び風呂往き配管８は、蹴込部７５に設けられた接続部と、浴槽１１０に設けられた浴槽アダプタ（図示省略）との間を繋ぐ。浴槽１１０に給湯するときには、貯湯式給湯機１００からの湯が風呂戻り配管７及び風呂往き配管８の両方を通って浴槽１１０に注入される。筐体１の内部には、浴槽１１０内の浴水を追い焚きするためのふろ用熱交換器が備えられている。追焚運転のときには、浴槽１１０内の浴水が風呂戻り配管７を通過して筐体１内のふろ用熱交換器に導かれ、ふろ用熱交換器を通過した浴水が風呂往き配管８を通って浴槽１１０内に戻る。
【００１８】
本実施の形態の貯湯式給湯機１００は、排水栓４０、配管用水抜き栓５０、及び給湯側タンク水抜き栓６０を備える。本実施の形態では、排水栓４０は、第一操作部４０ａを備える第一排水栓に相当するものとし、給湯側タンク水抜き栓６０は、第二操作部６０ａを備える第二排水栓に相当するものとして説明する。ただし、変形例として、給湯側タンク水抜き栓６０に代えて配管用水抜き栓５０が第二排水栓に相当するように構成してもよい。他の変形例として、給湯側タンク水抜き栓６０が第一排水栓に相当し、排水栓４０または配管用水抜き栓５０が第二排水栓に相当するように構成してもよい。
【００１９】
貯湯式給湯機１００を長期間使用しない場合には、機器の内部の残水の凍結による機器の破損を防止するためと、残水の水質変化による貯湯タンクまたは内部配管の腐食等の悪影響を避けるために、内部の残水をすべて排水する必要がある。貯湯式給湯機１００の残水をすべて排水するには、エンドユーザーが第一操作部４０ａ、第二操作部６０ａ、及び配管用水抜き栓５０の操作部を操作する必要がある。配管用水抜き栓５０は、万一の災害時に貯湯タンク内の水を生活用水として使用する際の非常用取水栓としての機能も兼ね備えている。
【００２０】
図２は、参考例の貯湯式給湯機２００の配管システム図である。以下、図２を参照して、参考例の貯湯式給湯機２００について説明するが、本実施の形態の貯湯式給湯機１００と共通する構成要素については同一の符号を付して、重複する説明を簡略化または省略する。
【００２１】
給水側タンク１０と給湯側タンク２０とは、鉛直方向の位置に関して、同じ高さの位置に配置されている。給水側タンク１０の最上部には、給水側連結配管口３１が形成されている。給湯側タンク２０の最下部よりも少し上の位置には給湯側連結配管口３２が形成されている。連結配管３０は、給水側連結配管口３１と、給湯側連結配管口３２との間を繋ぐ。給水側タンク１０の下部に接続された給水側タンク排水管１１と、給湯側タンク２０の下部に接続された給湯側タンク排水管２１とは、それぞれ排水栓４０に直結している。配管用水抜き栓５０は、内部配管を介して、給水側タンク１０の下部に連通している。逃し弁７０は、内部配管を介して、給湯側タンク２０の上部に連通している。給水配管２には、給水配管専用止水栓８０が設けられている。
【００２２】
貯湯式給湯機２００は、給湯側タンク水抜き栓６０を備えていない点において貯湯式給湯機１００とは異なる。貯湯式給湯機２００の内部の残水を排水する場合の手順は、以下のようになる。まず、給水配管専用止水栓８０を閉じることにより、給水配管２からの給水を停止する。次に、逃し弁７０を開き、逃し弁７０から給湯側タンク２０の上部に空気が流入可能な状態にする。次いで、排水栓４０を開く。上述したように、給水側タンク排水管１１及び給湯側タンク排水管２１が共に排水栓４０に直結しているので、排水栓４０を開くことで、給水側タンク１０内と給湯側タンク２０内との両方の残水をすべて排水可能である。さらに、配管用水抜き栓５０を開くことで、配管内の残水を排水することができる。このようにして、筐体１内の残水をすべて排水することが可能である。
【００２３】
なお、図２に示すように、筐体１の内部には、上述した以外にも、各種の配管、弁、センサ、ポンプなどが備えられているが、これらの構成については、本発明とは直接の関連性を有しないため、説明を省略する。
【００２４】
図３は、実施の形態１による貯湯式給湯機１００の配管システム図である。以下、図３を参照して、本実施の形態の貯湯式給湯機１００についてさらに説明するが、参考例の貯湯式給湯機２００と共通する構成要素については同一の符号を付して、重複する説明を簡略化または省略する。
【００２５】
図３に示すように、貯湯式給湯機１００では、給水側タンク１０の下部に接続された給水側タンク排水管１１のみが排水栓４０に直結しており、給湯側タンク２０の下部に接続された給湯側タンク排水管２２が排水栓４０に接続されていない点において貯湯式給湯機２００とは異なる。給湯側タンク排水管２２の下流は、給湯側タンク水抜き栓６０で止栓されている。
【００２６】
貯湯式給湯機１００において、内部の残水を排水する場合に、逃し弁７０及び排水栓４０を開くと、以下のようになる。給水側タンク１０内の水が給水側タンク排水管１１を通って排水栓４０から排出される。これと同時に、空気が逃し弁７０から給湯側タンク２０の上部に流入し、サイフォン現象により、給湯側タンク２０内の水が連結配管３０を通って給水側タンク１０へ移動する。給湯側タンク２０内の水面が給湯側連結配管口３２の位置まで低下すると、空気が連結配管３０を通って給水側タンク１０の上部に流入する。その後、給水側タンク１０内の水面が低下していき、給水側タンク１０内の残水がすべて排水される。このようにして、貯湯式給湯機１００では、逃し弁７０及び排水栓４０を開いただけでは、給湯側タンク２０内において給湯側連結配管口３２よりも下に水が残った状態になる。そのため、給湯側タンク水抜き栓６０を開いて、給湯側タンク２０の底部の残水を排水する操作が必要となる。その後、配管用水抜き栓５０を開くことで、配管内の残水を排水することができる。このようにして、筐体１内の残水をすべて排水することが可能である。
【００２７】
本実施の形態の貯湯式給湯機１００を長期間使用しない場合に、排水栓４０を開いたときに給湯側タンク水抜き栓６０を開く操作がなされなかった場合には、給湯側タンク２０の底部の残水が凍結することによる機器の破損、あるいは残水の水質変化によるタンク及び内部配管の腐食等により、製品寿命にも悪影響が生じてしまう可能性がある。このため、機器内の排水をエンドユーザーが確実に遂行できるようにする必要がある。
【００２８】
図４は、実施の形態１による貯湯式給湯機１００の蹴込部７５及びその近くを斜め下から見た斜視図である。図５は、実施の形態１による貯湯式給湯機１００の蹴込部７５及びその近くを正面から見た正面図である。図４及び図５中に示された６本の外部配管９０は、給水配管２、入水配管３、出湯配管５、給湯配管６、風呂戻り配管７、及び風呂往き配管８を表している。蹴込部７５において、外部配管９０の各々は、上下方向に沿って延びる。図４及び図５では、各外部配管９０が途中で切断された状態を示す。
【００２９】
以下の説明では、便宜上、蹴込部７５の外部配管９０について、以下のように仮定する。
・各外部配管９０は、鉛直線に対して平行に延びると仮定する。ただし、実際には、外部配管９０は多少の可撓性を有するので、鉛直線に対して完全に平行に配置されるとは限らない。
・各外部配管９０は、互いに等しい外径（例えば、断熱材を含めて４５ｍｍ）を有すると仮定する。ただし、実際には、各外部配管９０の外径は等しくなくてもよい。
【００３０】
図４に示すように、蹴込部７５は、蹴込壁面７５ａ及び蹴込上面７５ｂを有する。蹴込壁面７５ａは、正面側を向く壁面である。蹴込壁面７５ａは、水平面に対して実質的に垂直である。蹴込上面７５ｂは、下側を向く面である。蹴込上面７５ｂには、各外部配管９０が接続される複数の接続部が設置されている。筐体１は、蹴込壁面７５ａに隣接する筐体底面１ａと、蹴込壁面７５ａに隣接する筐体側面１ｂとを有する。筐体底面１ａは、下側を向く面である。蹴込上面７５ｂは、筐体底面１ａよりも上の位置にある。筐体側面１ｂは、水平面に対して実質的に垂直である。筐体側面１ｂは、蹴込壁面７５ａに対して実質的に垂直である。
【００３１】
筐体底面１ａには、複数の支持脚７６が取り付けられている。これらの支持脚７６により設置面に対して貯湯式給湯機１００が支持及び固定される。
【００３２】
第一操作部４０ａは、蹴込壁面７５ａと、筐体底面１ａと、筐体側面１ｂとのいずれかに配置されていればよい。本実施の形態では、蹴込壁面７５ａに第一操作部４０ａが配置されている。
【００３３】
第二操作部６０ａは、蹴込壁面７５ａと、筐体底面１ａと、筐体側面１ｂとのいずれかに配置されていればよい。本実施の形態では、筐体底面１ａに第二操作部６０ａが配置されている。
【００３４】
排水栓４０は、第一操作部４０ａとは異なる位置に排水口４０ｂを有する。排水口４０ｂは、筐体底面１ａに配置されている。排水栓４０は、蹴込壁面７５ａの内側、すなわち筐体１の内部に配置された弁装置（図示省略）を備えている。この弁装置は、回転可能な弁体と、この弁体に接続された回転シャフトとを備える。この回転シャフトが蹴込壁面７５ａに形成された孔を貫通し、当該回転シャフトに第一操作部４０ａが取り付けられている。第一操作部４０ａは、当該回転シャフトを回転させるための操作レバーまたはハンドルに相当する。第一操作部４０ａを手で回すと、排水栓４０が開く。
【００３５】
給湯側タンク水抜き栓６０は、第二操作部６０ａの位置に排水口を有する。第二操作部６０ａは、指で摘んで回転させることのできるツマミに相当する。第二操作部６０ａの中心を通るように排水口が形成されている。第二操作部６０ａを所定方向に回転させると、給湯側タンク水抜き栓６０が開き、給湯側タンク水抜き栓６０の先端の排水口から水が排出される。第二操作部６０ａをその反対方向に回転させると、給湯側タンク水抜き栓６０が閉じて、排水が停止する。なお、配管用水抜き栓５０は、給湯側タンク水抜き栓６０と同様の構造を有していてもよい。
【００３６】
本実施の形態における給湯側タンク水抜き栓６０は、排水栓４０よりも小型かつ簡単な構成であり、排水栓４０よりも低いコストで製造できる。排水栓４０の流路断面積は、給湯側タンク水抜き栓６０の流路断面積よりも大きいことが望ましい。ここで、排水栓４０の流路断面積とは、排水栓４０を開いたときの排水栓４０内の最小の流路断面積であり、給湯側タンク水抜き栓６０の流路断面積とは、給湯側タンク水抜き栓６０を開いたときの給湯側タンク水抜き栓６０内の最小の流路断面積であるものとする。
【００３７】
給湯側タンク水抜き栓６０から排水される水の量は、給湯側タンク２０の底部に残る水だけであり、比較的少ないので、単位時間当たりの給湯側タンク水抜き栓６０の排水量が小さくても問題ない。排水栓４０は、比較的大きい流路断面積を有するので、単位時間当たりの排水量が給湯側タンク水抜き栓６０よりも大きい。排水栓４０から排水される水の量は多いので、単位時間当たりの排水栓４０の排水量を大きくすることで、排水動作の所要時間の短縮に有利になる。
【００３８】
図５に示すように、蹴込壁面７５ａに向き合うようにして見たときに、水平方向の位置に関して、第一操作部４０ａの位置と第二操作部６０ａの位置とが重なりを有するように配置されている。「蹴込壁面７５ａに向き合うようにして見たとき」とは、蹴込壁面７５ａに対して垂直な方向から見たとき、すなわち図５のようにして見たときを意味するものとする。「水平方向の位置に関して、第一操作部４０ａの位置と第二操作部６０ａの位置とが重なりを有する」とは、第一操作部４０ａが占める空間と、第二操作部６０ａが占める空間とが、水平方向の位置に関して、少なくとも一部で重なることを意味するものとする。以下の説明では、上記のような配置を「縦方向配置」と略称する場合がある。
【００３９】
前述したように、給湯側タンク水抜き栓６０の開き忘れを確実に防止することが重要であるので、エンドユーザーにとって、なるべく視認性及び操作性に優れた位置に給湯側タンク水抜き栓６０を配置することが望ましい。しかしながら、内部配管構成の配置上の理由から、図４のように、蹴込壁面７５ａよりも奥まった、手の届きにくい筐体底面１ａに給湯側タンク水抜き栓６０を配置せざるを得ない場合もある。本実施の形態であれば、このような場合においても、第一操作部４０ａ及び第二操作部６０ａを縦方向配置にしたことで、エンドユーザーが給湯側タンク水抜き栓６０を開き忘れることを防止する上で有利になる。この効果について、以下でさらに説明する。
【００４０】
本実施の形態の貯湯式給湯機１００は、薄型機種であり、正面側の横幅寸法が小さい。このため、図５に示すように、蹴込部７５に外部配管９０が林立し、密集した状態となる。エンドユーザーは、外部配管９０同士の間の隙間９１に手を入れて、第一操作部４０ａを操作する。このとき、正面側から見て水平方向での給湯側タンク水抜き栓６０の位置が、第一操作部４０ａの近傍となる。このため、エンドユーザーは、隙間９１に挿入した手を引き抜くことなく、そのまま上下方向に移動させ、腕をさらに奥へ挿入して、給湯側タンク水抜き栓６０の第二操作部６０ａを操作するという、一連の動作で排水を実施することができる。以上のことから、給湯側タンク水抜き栓６０による給湯側タンク２０の排水操作を忘れずに行うよう促すことができる。
【００４１】
本実施の形態では、蹴込壁面７５ａに向き合うようにして見たときに、外部配管９０同士の間に形成される隙間９１に第一操作部４０ａ及び第二操作部６０ａの少なくとも一部が位置する。このため、エンドユーザーにとって、外部配管９０によって視界を遮られない視認性の良い位置に第一操作部４０ａ及び第二操作部６０ａが配置される。このため、さらに良好な操作性が得られる。
【００４２】
本実施の形態では、蹴込壁面７５ａに向き合うようにして見たときに、第一操作部４０ａ及び第二操作部６０ａが上下に並ぶ。これにより、エンドユーザーは、第一操作部４０ａ及び第二操作部６０ａの両方を一度に視認できるので、いずれか一方の操作をし忘れることをより確実に防止できる。
【００４３】
図示の構成に代えて、第二操作部６０ａを第一操作部４０ａと同じく蹴込壁面７５ａに配置し、両者を縦方向配置としてもよい。また、配管用水抜き栓５０の操作部と第一操作部４０ａとを縦方向配置としてもよい。また、排水栓４０、配管用水抜き栓５０、及び給湯側タンク水抜き栓６０は、それぞれ１ヵ所のみではなく、複数ヵ所に配置してもよい。
【００４４】
実施の形態２．
次に、図６を参照して、実施の形態２について説明するが、前述した実施の形態１との相違点を中心に説明し、同一部分または相当部分については説明を簡略化または省略する。図６は、実施の形態２による貯湯式給湯機１００Ａの蹴込部７５及びその近くを正面から見た正面図である。本実施の形態の貯湯式給湯機１００Ａは、共に筐体側面１ｂに配置された第一操作部４０ａ及び第二操作部６０ａを備える。この第一操作部４０ａ及び第二操作部６０ａは、縦方向配置とされている。
【００４５】
本実施の形態によれば、実施の形態１と同様の効果が得られる。また、本実施の形態のように、第一操作部４０ａ及び第二操作部６０ａを同じ面に配置することで、さらに良好な操作性が得られる。
【００４６】
実施の形態３．
次に、図７を参照して、実施の形態３について説明するが、前述した実施の形態１との相違点を中心に説明し、同一部分または相当部分については説明を簡略化または省略する。図７は、実施の形態３による貯湯式給湯機１００Ｂの蹴込部７５及びその近くを斜め下から見た斜視図である。本実施の形態の貯湯式給湯機１００Ｂは、共に筐体底面１ａに配置された第一操作部４０ａ及び第二操作部６０ａを備える。この第一操作部４０ａ及び第二操作部６０ａは、縦方向配置とされている。
【００４７】
本実施の形態によれば、実施の形態１と同様の効果が得られる。また、本実施の形態のように、第一操作部４０ａ及び第二操作部６０ａを同じ面に配置することで、さらに良好な操作性が得られる。
【００４８】
本実施の形態の貯湯式給湯機１００Ｂは、第一操作部４０ａ及び第二操作部６０ａの開閉動作を連動させる連動手段７７を備える。連動手段７７は、例えば、第一操作部４０ａと第二操作部６０ａとの間で回転力を伝えることが可能な、ロッド、リンク、ベルト、チェーン、ギアのうちの少なくとも一つを備えたものでもよい。本実施の形態であれば、第一操作部４０ａ及び第二操作部６０ａのいずれか一方を回転させる開閉動作をすると、連動手段７７を介して第一操作部４０ａ及び第二操作部６０ａの他方も回転して開閉動作する。これにより、給水側タンク１０及び給湯側タンク２０の排水操作が１度で済むことから、給湯側タンク２０の残水の懸念をより確実に払拭できる。また、排水が完了した後に、第一操作部４０ａ及び第二操作部６０ａのいずれか一方を閉め忘れることをより確実に防止できる。
【００４９】
実施の形態４．
次に、図８を参照して、実施の形態４について説明するが、前述した実施の形態１との相違点を中心に説明し、同一部分または相当部分については説明を簡略化または省略する。図８は、実施の形態４による貯湯式給湯機１００Ｃの蹴込部７５及びその近くを正面から見た正面図である。
【００５０】
本実施の形態では、蹴込壁面７５ａに向き合うようにして見たときに、外部配管９０同士の間に形成される複数の隙間のうちで最も広い隙間９２に第一操作部４０ａ及び第二操作部６０ａの少なくとも一部が位置する。すなわち、蹴込壁面７５ａに向き合うようにして見たときの隙間９２の間隔Ｌは、外部配管９０同士の間に形成される他の隙間の間隔よりも大きい。これにより、エンドユーザーにとって第一操作部４０ａ及び第二操作部６０ａの視認性をさらに良好にすることができる。また、隙間９２に手を入れて第一操作部４０ａ及び第二操作部６０ａを操作するときの操作性をさらに良好にすることができる。
【００５１】
実施の形態５．
次に、図９を参照して、実施の形態５について説明するが、前述した実施の形態１との相違点を中心に説明し、同一部分または相当部分については説明を簡略化または省略する。図９は、実施の形態５による貯湯式給湯機１００Ｄの蹴込部７５及びその近くを正面から見た正面図である。本実施の形態の貯湯式給湯機１００Ｄは、共に蹴込壁面７５ａに配置された第一操作部４０ａ及び第二操作部６０ａを備える。この第一操作部４０ａ及び第二操作部６０ａは、縦方向配置とされている。
【００５２】
本実施の形態によれば、実施の形態１と同様の効果が得られる。また、本実施の形態のように、第一操作部４０ａ及び第二操作部６０ａを同じ面に配置することで、さらに良好な操作性が得られる。
【００５３】
さらに、本実施の形態であれば、第二操作部６０ａが第一操作部４０ａよりも低い位置にあることで、以下の効果が得られる。前述したように、給湯側タンク水抜き栓６０を開くと、第二操作部６０ａの位置にある排水口から水が排出される。仮に、第二操作部６０ａの下に第一操作部４０ａがあったとすると、第二操作部６０ａの排水口から排出された水が第一操作部４０ａに降りかかり、水濡れによって第一操作部４０ａが劣化する可能性がある。これに対し、本実施の形態であれば、第二操作部６０ａの排水口から排出された水が第一操作部４０ａに降りかかるおそれがないので、上記のような問題を確実に防止することができる。
【００５４】
実施の形態６．
次に、図１０を参照して、実施の形態６について説明するが、前述した実施の形態１との相違点を中心に説明し、同一部分または相当部分については説明を簡略化または省略する。図１０は、実施の形態６による貯湯式給湯機１００Ｅの蹴込部７５及びその近くを正面から見た正面図である。本実施の形態の貯湯式給湯機１００Ｅは、共に蹴込壁面７５ａに配置された第一操作部４０ａ及び第二操作部６０ａを備える。この第一操作部４０ａ及び第二操作部６０ａは、縦方向配置とされている。
【００５５】
本実施の形態によれば、実施の形態１と同様の効果が得られる。また、本実施の形態のように、第一操作部４０ａ及び第二操作部６０ａを同じ面に配置することで、さらに良好な操作性が得られる。
【００５６】
さらに、本実施の形態であれば、第一操作部４０ａが第二操作部６０ａよりも低い位置にあることで、以下の効果が得られる。前述したように、排水栓４０は、筐体１の内部に配置される弁装置を有しており、給湯側タンク水抜き栓６０に比べて部品体積が大きい。筐体１の内部構造における、部品配置及び配管経路を考慮した場合、部品体積が大きい排水栓４０は、配置可能スペースに制約が求められる。第一操作部４０ａが第二操作部６０ａよりも低い位置にあることで、排水栓４０の弁装置を筐体底面１ａに沿わせて配置することが可能となるので、筐体１の内部の配管経路をより効率的に配置することが可能となる。
【００５７】
図１０に示すように、本実施の形態では、給湯側タンク水抜き栓６０の先端の排水口にホース９５などを接続して排水することが望ましい。これにより、給湯側タンク水抜き栓６０を開いたときに排出される水が第一操作部４０ａに降りかかることをより確実に防止することができる。
【００５８】
実施の形態７．
次に、図１１を参照して、実施の形態７について説明するが、前述した実施の形態１との相違点を中心に説明し、同一部分または相当部分については説明を簡略化または省略する。図１１は、実施の形態７による貯湯式給湯機１００Ｆの蹴込部７５及びその近くを正面から見た正面図である。
【００５９】
以下では、説明の便宜上、蹴込壁面７５ａに向き合うようにして見たときに、複数の外部配管９０のうちで、最も左側にあるものを第一外部配管９３と称し、最も右側にあるものを第二外部配管９４と称する。本実施の形態では、蹴込壁面７５ａに向き合うようにして見たときに、第一操作部４０ａ及び第二操作部６０ａの少なくとも一部が第一外部配管９３よりも外側すなわち左側にある。これにより、以下の効果が得られる。エンドユーザーにとって第一操作部４０ａ及び第二操作部６０ａの視認性をさらに良好にすることができる。取扱説明書等で排水操作部の位置を特定する記載の際に、「最端部に付設」と記載できるので、エンドユーザーに周知されやすいという利点があり、操作性をさらに向上することが可能となる。なお、変形例として、蹴込壁面７５ａに向き合うようにして見たときに、第一操作部４０ａ及び第二操作部６０ａの少なくとも一部が第二外部配管９４よりも外側すなわち右側にあるように構成した場合においても上記と同様の効果が得られることは言うまでもない。
【符号の説明】
【００６０】
１  筐体、  １ａ  筐体底面、  １ｂ  筐体側面、  ２  給水配管、  ３  入水配管、  ４  加熱手段、  ５  出湯配管、  ６  給湯配管、  ７  風呂戻り配管、  ８  風呂往き配管、  １０  給水側タンク、  １１  給水側タンク排水管、  ２０  給湯側タンク、  ２１  給湯側タンク排水管、  ２２  給湯側タンク排水管、  ３０  連結配管、  ３１  給水側連結配管口、  ３２  給湯側連結配管口、  ４０  排水栓、  ４０ａ  第一操作部、  ４０ｂ  排水口、  ５０  配管用水抜き栓、  ６０  給湯側タンク水抜き栓、  ６０ａ  第二操作部、  ７０  逃し弁、  ７５  蹴込部、  ７５ａ  蹴込壁面、  ７５ｂ  蹴込上面、  ７６  支持脚、  ７７  連動手段、  ８０  給水配管専用止水栓、  ９０  外部配管、  ９１  隙間、  ９２  隙間、  ９３  第一外部配管、  ９４  第二外部配管、  ９５  ホース、  １００  貯湯式給湯機、  １００Ａ  貯湯式給湯機、  １００Ｂ  貯湯式給湯機、  １００Ｃ  貯湯式給湯機、  １００Ｄ  貯湯式給湯機、  １００Ｅ  貯湯式給湯機、  １００Ｆ  貯湯式給湯機、  １１０  浴槽、  ２００  貯湯式給湯機
【図１】
2019132474.tif 000003
【図２】
2019132474.tif 000004
【図３】
2019132474.tif 000005
【図４】
2019132474.tif 000006
【図５】
2019132474.tif 000007
【図６】
2019132474.tif 000008
【図７】
2019132474.tif 000009
【図８】
2019132474.tif 000010
【図９】
2019132474.tif 000011
【図１０】
2019132474.tif 000012
【図１１】
2019132474.tif 000013